(57)【要約】【課題】ブレ補正部材を備える場合において、画像劣化の影響を抑制したタイミングで露光を開始する。【解決手段】結像光学系を介して撮像素子に結像する被写体像の像ブレを補正するブレ補正装置は、カメラのブレを検出するブレ検出部１４と、検出されたブレに基づいて、光軸に直交する方向の結像光学系２と撮像素子６との相対位置を変更して撮像素子６上での像ブレを補正するブレ補正部材１５１と、ブレ補正部材１５１の位置を予測する位置予測手段７１２と、予測された位置に基づいてブレ補正部材１５１の駆動目標位置を予測する目標位置予測手段７１３と、位置予測手段７１２が予測したブレ補正部材１５１の位置と目標位置予測手段７１３が予測した駆動目標位置との誤差を算出する誤差算出手段７１６と、誤差算出手段７１６により算出された誤差に基づいて、露光開始のタイミングを決定するタイミング決定手段７１７とを備える。【選択図】図３
2010026384.tif 000002
【特許請求の範囲】
【請求項１】
結像光学系を介して撮像素子に結像する被写体像の像ブレを補正するブレ補正装置であって、
カメラのブレを検出するブレ検出部と、
前記検出されたブレに基づいて、光軸に直交する方向の結像光学系と撮像素子との相対位置を変更して前記撮像素子上での像ブレを補正するブレ補正部材と、
前記ブレ補正部材の位置を予測する位置予測手段と、
前記位置予測手段により予測された位置に基づいて前記ブレ補正部材の駆動目標位置を予測する目標位置予測手段と、
前記位置予測手段が予測した前記ブレ補正部材の位置と前記目標位置予測手段が予測した駆動目標位置との誤差を算出する誤差算出手段と、
前記誤差算出手段により算出された誤差に基づいて、露光開始のタイミングを決定するタイミング決定手段とを備えることを特徴とするブレ補正装置。
【請求項２】
請求項１に記載のブレ補正装置において、
前記誤差算出手段により算出された誤差に基づいて画像劣化度の変化を予測する画像劣化度予測手段をさらに備え、
前記タイミング決定手段は、前記画像劣化度予測手段により予測された画像劣化度が最小となる時刻を前記露光開始のタイミングとして決定することを特徴とするブレ補正装置。
【請求項３】
請求項１または２に記載のブレ補正装置において、
複数の撮影モードの中からいずれかを選択するモード選択手段と、
前記選択された撮影モードに応じて、前記タイミング決定手段の動作の要否を切替える制御手段とを更に備えることを特徴とするブレ補正装置。
【請求項４】
請求項1乃至３のいずれか一項に記載のブレ補正装置を備えることを特徴とする交換レンズ。
【請求項５】
請求項1乃至３のいずれか一項に記載のブレ補正装置を備えることを特徴とするカメラ。
【発明の詳細な説明】
【技術分野】
【０００１】
本発明は、撮影時のカメラのブレによる像ブレを補正するブレ補正装置と、ブレ補正装置を備える交換レンズおよびカメラに関する。
【背景技術】
【０００２】
従来から、カメラに生じるブレの波形を予測し、予測したブレ波形の変化率が極小となるタイミングで露光を開始して像ブレを低減するカメラが知られている（たとえば、特許文献１）。
【特許文献１】特開２００４−１８６９０１号公報
【発明の開示】
【発明が解決しようとする課題】
【０００３】
しかしながら、ブレ補正装置を備える場合においては、光学的な像ブレ補正機構を用いることなく、撮像された画像の像ブレをデジタル的に予測して補正するだけでは、像ブレを低減しきれないという問題がある。
【課題を解決するための手段】
【０００４】
請求項１に記載の発明は、結像光学系を介して撮像素子に結像する被写体像の像ブレを補正するブレ補正装置であって、カメラのブレを検出するブレ検出部と、検出されたブレに基づいて、光軸に直交する方向の結像光学系と撮像素子との相対位置を変更して撮像素子上での像ブレを補正するブレ補正部材と、ブレ補正部材の位置を予測する位置予測手段と、位置予測手段により予測された位置に基づいてブレ補正部材の駆動目標位置を予測する目標位置予測手段と、位置予測手段が予測したブレ補正部材の位置と目標位置予測手段が予測した駆動目標位置との誤差を算出する誤差算出手段と、誤差算出手段により算出された誤差に基づいて、露光開始のタイミングを決定するタイミング決定手段とを備えることを特徴とする。
請求項２に記載の発明は、請求項１に記載のブレ補正装置において、誤差算出手段により算出された誤差に基づいて画像劣化度の変化を予測する画像劣化度予測手段をさらに備え、タイミング決定手段は、画像劣化度予測手段により予測された画像劣化度が最小となる時刻を露光開始のタイミングとして決定することを特徴とする。
請求項３に記載の発明は、請求項１または２に記載のブレ補正装置において、複数の撮影モードの中からいずれかを選択するモード選択手段と、選択された撮影モードに応じて、タイミング決定手段の動作の要否を切替える制御手段とを更に備えることを特徴とする。
請求項４に記載の発明による交換レンズは、請求項1乃至３のいずれか一項に記載のブレ補正装置を備えることを特徴とする。
請求項５に記載の発明によるカメラは、請求項1乃至３のいずれか一項に記載のブレ補正装置を備えることを特徴とする。
【発明の効果】
【０００５】
本発明によれば、予測されたブレ補正部材の位置と予測された駆動目標位置との誤差に基づいて、露光開始のタイミングを決定することができる。
【発明を実施するための最良の形態】
【０００６】
図面を用いて、本発明の実施の形態によるカメラについて説明する。
図１（ａ）に示すように、カメラ１には撮影レンズ２、レリーズボタン３、電源ボタン４、撮影モードとして静止画撮影モードもしくは動画撮影モードの設定操作を行なうモードダイヤル５が設けられている。撮影レンズ２には、焦点調節レンズ２ａ、その他の結像レンズ２ｂ、および後述するブレ補正装置１５（図２）が内蔵されている。また、図１（ｂ）に示すように、カメラ１の背面には液晶モニタ１７、および操作ボタン１８が設けられている。
【０００７】
図２は実施の形態のカメラの回路構成を示すブロック図である。カメラ１は、半押しスイッチ３ａ、全押しスイッチ３ｂ、電源スイッチ４ａ、撮像素子６、制御回路７、ＳＤＲＡＭ８、フラッシュメモリ９、シャッタ１０、メモリカードインタフェース１１、ブレ検出センサ１４、ブレ補正装置１５、液晶モニタ１７および操作スイッチ１８ａを備える。
【０００８】
撮像素子６は、複数の光電変換素子を備えたＣＣＤやＣＭＯＳイメージセンサによって構成される。撮像素子６は、撮像面上に結像されている被写体像を撮像し、被写体像に応じた光電変換信号（画像信号）を制御回路７へ出力する。
【０００９】
制御回路７は、制御プログラムに基づいて、カメラ１を構成する各部から入力される信号を用いて所定の演算を行ない、カメラ１の各部に対する制御信号を送出して、撮影動作を制御する。制御プログラムは、制御回路７内の不図示の不揮発性メモリに格納されている。制御回路７は、撮像素子６から入力した画像信号をデジタル画像信号に変換し、そのデジタル画像信号に対して種々の画像処理を施して画像データを生成する。そして、制御回路７は生成された画像データに対してＪＰＥＧなどの所定の方式により圧縮処理を行い、ＥＸＩＦなどの形式でメモリカード１２へ記録する。また、制御回路７は、撮像素子６から得られた測光値に基づいて被写体輝度を測定し、絞り値や露光時間等を決定する。さらに、制御回路７はブレ補正制御部７１を備える。ブレ補正制御部７１は、全押しスイッチ３ｂからオン信号を入力すると、後述する画像劣化度の算出、評価およびレリーズタイミングの決定を行い、シャッタ１０へ駆動信号を出力する。
【００１０】
ＳＤＲＡＭ８は、画像処理、画像圧縮処理および表示用画像データ作成処理の途中や処理後のデータを一時的に格納するために使用される。表示用画像データは、撮像素子６からの出力に基づいて、制御回路７が生成した画像データ、もしくはメモリカード１２に記録されている画像データに基づいて、制御回路７により生成される。生成された表示用画像データは、制御回路７によりＳＤＲＡＭ８に格納される。フラッシュメモリ９は、たとえば制御回路７が演算を行なうための各種の処理プログラムが記憶された不揮発性メモリである。
【００１１】
制御回路７は、ＬＣＤ駆動回路１７１を介して液晶モニタ１７を駆動し、液晶モニタ１７に画像を表示する。また、液晶モニタ１７には、カメラ１の各種設定メニュー画面などが表示される。モードダイヤル５は、各種の撮影モードの中からユーザが所望する撮影モードを選択する際に操作される操作部である。撮影モードとしては、たとえば、マクロモード、夜景モード、スポーツモード、ポートレートモード等が選択可能に設けられている。
【００１２】
メモリカードインタフェース１１は、メモリカード１２が着脱可能なインタフェースである。メモリカードインタフェース１１は、制御回路７の制御に基づいて、画像データをメモリカード１２に書き込んだり、メモリカード１２に記録されている画像データを読み出すインタフェース回路である。メモリカード１２はコンパクトフラッシュ（登録商標）やＳＤカードなどの半導体メモリカードである。
【００１３】
ブレ検出センサ１４は、たとえばジャイロセンサなどで構成され、撮影時にカメラ１の本体のＸ方向およびＹ方向に発生するブレをピッチングとヨーイングに分解して検出する。ブレ検出センサ１４で検出されたピッチングとヨーイングを表すブレ量信号は制御回路７のブレ補正制御部７１に出力される。
【００１４】
ブレ補正装置１５は、シフトレンズ１５１、アクチュエータ１５３および位置検出センサ１５４を備える。シフトレンズ１５１は、アクチュエータ１５３により撮像素子６の撮像面と平行な面内、すなわち光軸に直交する平面内で、図示しない駆動制限部材の内壁面で規定される範囲内で移動可能となるように設けられる。
【００１５】
アクチュエータ１５３は、たとえば、コイル、磁石、およびヨークを有するボイスコイルモータである。アクチュエータ１５３は、制御回路７により供給される電力に応じて駆動力を発生し、撮像素子６の撮像面と平行な方向にシフトレンズ１５１を移動させる。その結果、シフトレンズ１５１および撮像素子６における被写体光の光軸と直交する方向の相対位置が変化して、撮影レンズ２を通過した被写体光がブレを打ち消す方向に屈折される。
【００１６】
位置検出センサ１５４は、たとえば、磁石および磁気検出素子を有する磁気センサであり、シフトレンズ１５１の位置に応じた電圧をブレ補正制御部７１へ出力する。ブレ補正制御部７１は、後述するように、位置検出センサ１５４から入力した電圧の値に基づいて、シフトレンズ１５１の位置を検出する。
【００１７】
次に、ブレ補正制御部７１によるカメラ１に生じるブレの予測、ブレの影響による画像劣化度、すなわち像ブレの度合いの評価、および画像劣化度が小さいタイミングでの露光開始の指示について説明する。なお、以下で説明するブレ補正制御部７１の動作は、上述した撮影モードとして、たとえばマクロモードや夜景モードなどが選択された場合に行われる。このような撮影モードにおいては、一般的に、レリーズタイムラグが長くても許容されるが、像ブレの影響が顕著となりやすい傾向がある。なお、たとえばスポーツモードやポートレートモードなどのレリーズタイムラグが許容されにくい撮影モードが選択されている場合は、ブレ補正制御部７１の動作は禁止される。
【００１８】
図３のブロック図に示すように、ブレ補正制御部７１は、レンズ位置検出部７１１、レンズ位置予測部７１２、レンズ目標位置算出部７１３、ブレ予測部７１４、ブレ評価部７１５、制御演算部７１６およびタイミング決定部７１７を備える。レンズ位置検出部７１１は、位置検出センサ１５４から入力した電圧値に基づいて、時刻ｋにおけるシフトレンズ１５１の位置y(k)を算出する。レンズ目標位置算出部７１３は、ブレ検出センサ１４から入力したブレ量w(k)と、レンズ位置検出部７１１で算出された位置y(k)とを用いて、式（１）によりシフトレンズ１５１の目標位置r(k)を算出する。また、シフトレンズ１５１が算出された目標位置r(k)の値に追従制御されるように、制御演算部７１６、アクチュエータ１５３およびレンズ位置検出部７１１は、フィードバック制御ループを形成している。
r(k)＝F(w(k)、y(k))  ・・・（１）
なお、Fはシフトレンズ１５１の目標位置を決定するための関数である。
【００１９】
制御演算部７１６は、レンズ位置検出部７１１で算出されたシフトレンズ１５１の位置y(k)と、レンズ目標位置算出部７１３で算出されたシフトレンズ１５１の目標位置r(k)とを用いて、以下の式（２）により制御誤差e(k)を算出する。
e(k)＝r(k)−y(k)  ・・・（２）
【００２０】
そして、制御演算部７１６は、制御誤差e(k)が最小となるように制御入力m(k)を算出し、アクチュエータ１５３へ出力する。ブレ補正制御部７１が、たとえばPID制御を用いる場合、制御演算部７１６は、制御入力m(k)を、以下の式（３）を用いて算出する。
m(k)＝m(k-1)＋kp(e(k)−e(k-1))＋kie(k)＋kd(e(k)−2e(k-1)−e(k-1))  ・・・（３）
なお、kp、kiおよびkdは定数である。
【００２１】
ブレ予測部７１４は、時刻ｋにおいて既知となった過去のブレ量を用いて、時刻（ｋ＋１）におけるカメラ１のブレ量を予測する。すなわち、ブレ予測部７１４は、時刻（ｋ−１）および時刻ｋにおけるブレ量w(k-1)およびw(k)と、Ｎｃ個の線形予測係数（ｃ０，・・・ｃＮｃ−１）とを用いて、以下の式（４）によりブレ予測量ｗpre(k+1)を算出する。
【数１】
2010026384.tif 000003
【００２２】
レンズ位置予測部７１２は、時刻ｋにおいて既知となった過去の制御入力とシフトレンズ１５１のレンズ位置とを用いて、時刻（ｋ＋１）におけるシフトレンズ１５１のレンズ位置を予測する。すなわち、レンズ位置測部７１２は、時刻（ｋ−１）および時刻ｋにおけるレンズ位置y(k-1)およびy(k)と、時刻（ｋ−１）および時刻ｋにおける制御入力m(k-1)およびm(k)とを用いて、以下の式（５）によりレンズ予測位置ｙpre(k+1)を算出する。
【数２】
2010026384.tif 000004
【００２３】
上述のようにして算出されたブレ予測量ｗpre(k+1)およびレンズ予測位置ｙpre(k+1)は、レンズ目標位置算出部７１３に入力され、式（６）により時刻（ｋ＋１）におけるシフトレンズ１５１の目標予測位置ｒpre(k+1)が算出される。
ｒpre(k+1)＝F(ｗpre(k+1)、ｙpre(k+1))  ・・・（６）
なお、Fはシフトレンズ１５１の目標位置を決定するための関数である。
【００２４】
制御演算部７１６は、この目標予測位置ｒpre(k+1)とレンズ予測位置ｙpre(k+1)とを用いて、以下の式（７）により制御予測誤差ｅpre(k+1)を算出する。
ｅpre(k+1)＝ｒpre(k+1)−ｙpre(k+1)  ・・・（７）
【００２５】
そして、制御演算部７１６は、制御予測誤差ｅpre(k+1)が最小となるように、以下の式（８）を用いて予測制御入力ｍpre(k+1)を算出し、アクチュエータ１５３へ出力する。
mpre(k+1)＝m(k)＋kp(epre(k+1)−e(k))＋kiepre(k+1)＋kd(epre(k+1)−2e(k)−e(k-1))  ・・・（８）
【００２６】
上記の式（１）〜（３）、および式（６）〜（８）をそれぞれ比較すると、目標予測位置ｒpre(k+1)、制御予測誤差ｅpre(k+1)および予測制御入力ｍpre(k+1)は、式（１）〜（３）に予測値を入力することより算出される。したがって、ブレ補正制御部７１は、式（４）〜（８）に予測値を入力することで、以下に示すように、演繹的に時刻（ｋ＋２）以降における時刻ｎにおけるブレ予測量ｗpre(n)、レンズ予測位置ｙpre(n)、目標予測位置ｒpre(n)、制御予測誤差ｅpre(n)および予測制御入力ｍpre(n)を算出できる。
【数３】
2010026384.tif 000005
【００２７】
ブレ評価部７１５は、露光中にカメラ１に発生するブレの影響により、撮影画像に生じる画像劣化度L(k)、すなわち上記の制御誤差に起因する像ブレの度合いを予測して、評価値を演算する。露光時間をＴとすると、画像劣化度L(k)は、以下の式（９）により算出される。
【数４】
2010026384.tif 000006
なお、α(k)は単調増加関数である。そのため、式（９）で表される画像劣化度L(k)は、露光開始、すなわちレリーズ後から時間が経過すればするほど、その値が大きくなる。したがって、画像劣化度が大きく見積もられることになる。
【００２８】
タイミング決定部７１７は、ブレ評価部７１５で算出された画像劣化度L(k)が閾値Ｌth以下であり、かつ極小となるタイミングを検出して、そのタイミングをレリーズタイミングｔとして決定する。
【００２９】
図４に、レリーズ後の各予測値の変化と、それに伴って変化する画像劣化度L(k)とを示す。レリーズ後における目標予測位置ｒpre(k)が図４（ａ）のように変化し、レンズ予測位置ｙpre(k)が図４（ｂ）のように変化する場合、制御予測誤差ｅpre(k)の自乗であるｅpre2(k)は、図４（ｃ）のように変化する。図４（ｄ）は、上記の式（９）により算出された画像劣化度L(k)の変化を示す。なお、式（９）で表されるように、時刻（ｋ＋１）における画像劣化度L(k+1)は、図４（ｃ）における時刻（ｋ＋１）から露光時間Ｔの間のｅpre2(k+1)の変化に基づいて決まる値である。
【００３０】
タイミング決定部７１７は、画像劣化度L(k)の値が閾値Ｌth以下で極小値（L(k+t)）となる時刻（ｋ＋ｔ）をレリーズタイミングとして決定する。なお、時刻（ｋ＋ｍ）においても画像劣化度L(k+m)が極小値をとるが、タイミング決定部７１７は、レリーズされた時刻（ｋ＝０）により近い時刻をレリーズタイミングとして決定するものとする。
【００３１】
次に、図５のタイミングチャートを参照して、カメラ1のブレ補正動作について説明する。図５（ａ）は、制御回路７が各部の動作の同期をとるための周期（タイミング）を示す。図５（ｂ）に示すように、時刻ｋ１において全押しスイッチ３ｂがオン信号を出力すると、制御回路７は、図５（ｃ）に示すように時刻ｋ２で露光時間Ｔを算出する。さらに、時刻ｋ２で、ブレ補正制御部７１は、ブレ検出センサ１４から入力したブレ量信号に基づいて、上述した各予測値を算出する。このとき算出される予測値は、所定時間分として、たとえば1秒間分の値である。各予測値が算出されると、ブレ補正制御部７１のブレ評価部７１５は、上述した式（９）により画像劣化度L(k)を算出する。この画像劣化度L(k)を用いてタイミング決定部７１７は、レリーズタイミングｔ、すなわち撮像素子６が電荷蓄積を開始するまでのウエイト時間を算出する。
【００３２】
新たな周期である時刻ｋ３になると、制御回路７は、撮像素子６に対して電荷掃出を指示する。この掃出指示は、制御回路７が撮像素子６に電荷蓄積の開始を指示するまで、所定の時間間隔で出力される。時刻ｋ３から上記のレリーズタイミングｔ（ウエイト時間）が経過した時刻ｋ４（＝ｋ３＋ｔ）において、制御回路７は、撮像素子６に対して電荷蓄積の開始を指示する（図５（ｄ））。その結果、撮像素子６は、シフトレンズ１５１の制御誤差に起因する画像劣化の影響が最も小さいことが予測されるタイミングで電荷蓄積を開始することになる。
【００３３】
撮像素子６が電荷蓄積を開始した時刻ｋ４から、算出された露光時間Ｔだけ経過した時刻ｋ５（＝ｋ４＋Ｔ）において、制御回路７は、撮像素子６に対する電荷蓄積の指示を終了する。さらに、制御回路７は、図５（ｅ）に示すように、シャッタ１０を閉駆動させて、被写体光が撮像素子６へ到達しないようにする。新たな制御周期である時刻ｋ６になると、制御回路７は、撮像素子６に対して、時刻ｋ４〜ｋ５の間で蓄積した電荷の掃き出しを開始させる（図５（ｆ））。
【００３４】
以上で説明した実施の形態のカメラ１によれば、以下の作用効果が得られる。
（１）ブレ補正制御部７１は、時刻ｋにおけるシフトレンズ１５１の目標位置r(k)とレンズ位置y (k)とを用いて、時刻（ｋ＋１）における目標予測位置ｒpre(k+1)とレンズ予測位置ｙpre (k+1)を算出し、式（７）を用いて制御予測誤差ｅpre(k+1)を算出する。ブレ補正制御部７１は、この制御予測誤差ｅpre(k+1)を用いて、式（９）により画像劣化度L(k)を算出し、画像劣化度L(k)が閾値Ｌth以下であり、かつ極小となるタイミングを検出して、そのタイミングをレリーズタイミングｔとして決定するようにした。その結果、予測した制御誤差の影響による画像劣化が小さい時に露光を開始できるので、像ブレの影響を抑制した高画質の画像を取得することができる。
【００３５】
（２）式（９）におけるα(k)を単調増加関数とした。その結果、レリーズされてから時間が経過すればするほど画像劣化度L(k)の値を大きくなり閾値Lthを超えやすくなるので、ブレ補正制御部７１は、レリーズタイミングｔをレリーズ後から短時間で設定し、レリーズタイムラグを短縮できる。さらに、レリーズの時間が経過すればそれだけ各予測値の制度が低下する。したがって、ブレ補正制御部７１は、各予測値の値が確からしい時間範囲内においてレリーズタイミングｔを決定できるので、画質の劣化を防止できる。
【００３６】
（３）選択された撮影モードに応じて、ブレ補正制御部７１によるレリーズタイミングの設定の要否を切替えるようにした。たとえばマクロモードや夜景モードなどの、レリーズタイムラグが長くても許容されるが、像ブレの影響が顕著となりやすい撮影モードが選択された場合、ブレ補正制御部７１により決定されたレリーズタイミングで露光を開始することにより、像ブレの影響を抑えた画像を取得できる。また、たとえばスポーツモードやポートレートモードなどのようにレリーズタイムラグが許容されにくい撮影モードの場合には、ブレ補正制御部７１によるレリーズタイミングの設定をしないので、シャッターチャンスを逃すことがなくなる。
【００３７】
以上で説明した実施の形態を、以下のように変形できる。
（１）算出された制御予測誤差ｅpre(k+1)が撮像素子６を構成する各画素の配列ピッチの範囲内の場合は、制御予測誤差ｅpre(k+1)を無視して画像劣化度L(k)の算出を行わないようにしてもよい。この場合、ブレ補正制御部７１の演算処理の負担を軽減することができる。なお、予め、誤差の値と画素の配列ピッチの値とが対応付けされているものとする。
【００３８】
（２）各予測値の算出において、線形予測モデルを用いるものに代えて、たとえばニューラルネット等の方式を用いてもよい。
（３）ブレ補正装置１５を撮影レンズの交換が可能なカメラ本体内部に設けるようにしてもよい。
【００３９】
（４）ブレ検出センサ１４、ブレ補正装置１５およびブレ補正制御部７１を有する制御回路を交換レンズの内部に設けてもよい。この場合、ブレ補正制御部７１は、レンズマウント等に設けられた接点を介して、カメラ側から全押しスイッチ３ｂからのオン信号等を入力するとともに、算出されたレリーズタイミングｔをカメラ１へ出力すればよい。
（５）シフトレンズ１５１を駆動させてブレ補正を行うものに代えて、撮像素子６を駆動させることによりブレ補正を行ってもよい。
【００４０】
（６）レンズ位置予測部７１２、ブレ予測部７１４、ブレ評価部７１５およびレンズ目標位置算出部７１３により各予測値を算出するものに代えて、ブレ検出センサ１４、位置検出センサ１５４で検出した値に基づいて、制御演算部７１６が、各予測値を算出してもよい。この場合、制御演算部７１６は、たとえば、予めレンズ位置ｙ(ｋ)およびブレ量ｗ(ｋ)と各予測値とが対応付けされたテーブル等を参照するようにすればよい。
【００４１】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００４２】
【図１】本発明の実施の形態によるカメラの外観図
【図２】実施の形態のカメラの内部構成を説明するブロック図
【図３】実施の形態のブレ補正制御部の構成を説明するブロック図
【図４】レリーズ後の画像劣化度の推移の一例を説明する図
【図５】実施の形態のカメラの動作を説明するタイミングチャート
【符号の説明】
【００４３】
２・・・撮影レンズ  ６・・・撮像素子  ７・・・制御回路  １４・・・ブレ検出部
１５・・・ブレ補正装置  ７１・・・ブレ補正制御部  １５１・・・シフトレンズ
７１２・・・レンズ位置予測部  ７１３・・・レンズ目標位置算出部
７１６・・・制御演算部  ７１７・・・タイミング決定部
【図１】
2010026384.tif 000007
【図２】
2010026384.tif 000008
【図３】
2010026384.tif 000009
【図４】
2010026384.tif 000010
【図５】
2010026384.tif 000011